(57)【要約】  【課題】  ある特定の場所の現在の風景画像と過去へタイムスリップした任意の時点からの風景画像とを対比して見られるようにして、多くの人に当該場所の風景に関心をもってもらう。【解決手段】  ある特定の場所を連続して撮影するカメラ10と、このカメラと信号ケーブル12でつながった多数の動画像表示ユニット141、142、143・・・とを備える。各動画像表示ユニット141、142、143・・・は、カメラ10で撮影した動画像を入力し、圧縮して圧縮動画像記憶部に記憶すると共に、指示入力部からの指示により圧縮動画像記憶部から過去の任意の時点からの圧縮動画像記を読み出し、復元して、過去の任意の時点からの動画像と、現在の動画像とを同時にディスプレイ部に表示する。【選択図】  図１
2006093769.tif 000002
【特許請求の範囲】
【請求項１】
ある特定の場所を連続して撮影するカメラと、このカメラと信号ケーブル又は無線でつながっている多数の動画像表示ユニットとを備え、
各動画像表示ユニットは、前記カメラで撮影した動画像を入力する動画像入力部と、入力された動画像を所定の形式で圧縮するエンコーダ部と、圧縮された動画像を記憶する圧縮動画像記憶部と、記憶された圧縮動画像を復元するデコーダ部と、動画像を表示するディスプレイ部と、前記動画像入力部、エンコーダ部、圧縮動画像記憶部、デコーダ部及びディスプレイ部を制御する主制御部と、この主制御部への指示を入力する指示入力部とを備えていて、前記カメラで撮影した動画像を圧縮して圧縮動画像記憶部に記憶すると共に、指示入力部からの指示により圧縮動画像記憶部から復元された過去の任意の時点からの動画像と、現在の動画像とを同時にディスプレイ部に表示するようになっている、
ことを特徴とするタイムスリップ動画像表示システム。
【請求項２】
ある特定の場所を連続して撮影するカメラと、このカメラで撮影した動画像を蓄積する動画像蓄積ユニットと、この動画像蓄積ユニットと信号ケーブル、無線又はインターネットでつながっている多数の動画像表示ユニットとを備え、
前記動画像蓄積ユニットは、前記カメラで撮影した動画像を入力する動画像入力部と、入力された動画像を所定の形式で圧縮するエンコーダ部と、圧縮された動画像を記憶する圧縮動画像記憶部と、記憶された圧縮動画像を復元するデコーダ部と、復元された動画像を出力する動画像出力部と、前記動画像入力部、エンコーダ部、圧縮動画像記憶部、デコーダ部及び動画像出力部を制御する主制御部とを備えていて、前記カメラで撮影した動画像を圧縮して圧縮動画像記憶部に記憶すると共に、圧縮動画像記憶部から過去の任意に時点からの動画像を復元できるようになっており、
前記各動画像表示ユニットは、前記動画像蓄積ユニットへの指示を入力する指示入力部と、動画像蓄積ユニットから動画像を入力する動画像入力部と、動画像を表示するディスプレイ部と、前記指示入力部、動画像入力部及びディスプレイ部を制御する主制御部とを備えていて、前記指示入力部からの指示により動画像蓄積ユニットで復元された過去の任意の時点から動画像と、現在の動画像とを同時にディスプレイ部に表示するようになっている、
ことを特徴とするタイムスリップ動画像表示システム。
【請求項３】
ある特定の場所を連続して撮影するカメラと、このカメラで撮影した動画像を蓄積する動画像蓄積ユニットと、この動画像蓄積ユニットと信号ケーブル、無線又はインターネットでつながっている多数の動画像表示ユニットとを備え、
前記動画像蓄積ユニットは、前記カメラで撮影した動画像を入力する動画像入力部と、入力された動画像を所定の形式で圧縮するエンコーダ部と、圧縮された動画像を記憶する圧縮動画像記憶部と、記憶された圧縮動画像を出力する圧縮動画像出力部と、前記動画像入力部、エンコーダ部、圧縮動画像記憶部及び圧縮動画像出力部を制御する主制御部とを備えていて、前記カメラで撮影した動画像を圧縮して圧縮動画像記憶部に記憶すると共に、圧縮動画像記憶部から過去の任意に時点からの圧縮動画像を取り出せるようになっており、
前記各動画像表示ユニットは、前記動画像蓄積ユニットへの指示を入力する指示入力部と、動画像蓄積ユニットから圧縮動画像を入力する圧縮動画像入力部と、入力された圧縮動画像を復元するデコーダ部と、動画像を表示するディスプレイ部と、前記指示入力部、圧縮動画像入力部、デコーダ部及びディスプレイ部を制御する主制御部とを備えていて、前記指示入力部からの指示により動画像蓄積ユニットから入力された圧縮動画像を復元して得られる過去の任意の時点からの動画像と、現在の動画像とを同時にディスプレイ部に表示するようになっている、
ことを特徴とするタイムスリップ動画像表示システム。
【請求項４】
請求項１ないし３のいずれかに記載のシステムであって、各動画像表示ユニットのディスプレイ部は、一つの画面に過去の動画像と現在の動画像を分割して表示するようになっていることを特徴とするタイムスリップ動画像表示システム。
【請求項５】
請求項１ないし３のいずれかに記載のシステムであって、各動画像表示ユニットは二つ以上のディスプレイ部を備えていて、一つのディスプレイ部に現在の動画像を、他のディスプレイ部に過去の動画像を表示するようになっていることを特徴とするタイムスリップ動画像表示システム。
【発明の詳細な説明】
【技術分野】
【０００１】
本発明は、多くの人が、ある特定の場所（メモリアルプレイス）の現在撮影されつつある風景画像と、同じ場所の過去へタイムスリップした任意の時刻からの風景画像とを対比して観賞できるタイムスリップ動画像表示システムに関するものである。
【背景技術】
【０００２】
例えば観光地や繁華街など、多くの人が関心のある場所にビデオカメラを設置して、そのカメラで撮影した動画像をディスプレイに映し出して一般の人に見せることは、集客などに効果があると考えられる。
【発明の開示】
【発明が解決しようとする課題】
【０００３】
しかし、多くの人が関心のある場所の現在の風景画像を単にディスプレイに表示するだけでは、それを見る人はただ見るだけであり、自分の意志ですることは何もないので、多くの人の関心を引きつけるのには不十分である。
【０００４】
本発明は、多くの人の関心を引きつける効果の高いタイムスリップ動画像表示システムを提供することにある。
【課題を解決するための手段】
【０００５】
本発明に係るタイムスリップ動画像表示システムは、
ある特定の場所を連続して撮影するカメラと、このカメラと信号ケーブル又は無線でつながっている多数の動画像表示ユニットとを備え、
各動画像表示ユニットは、前記カメラで撮影した動画像を入力する動画像入力部と、入力された動画像を所定の形式で圧縮するエンコーダ部と、圧縮された動画像を記憶する圧縮動画像記憶部と、記憶された圧縮動画像を復元するデコーダ部と、動画像を表示するディスプレイ部と、前記動画像入力部、エンコーダ部、圧縮動画像記憶部、デコーダ部及びディスプレイ部を制御する主制御部と、この主制御部への指示を入力する指示入力部とを備えていて、前記カメラで撮影した動画像を圧縮して圧縮動画像記憶部に記憶すると共に、指示入力部からの指示により圧縮動画像記憶部から復元された過去の任意の時点からの動画像と、現在の動画像とを同時にディスプレイ部に表示するようになっている、ことを特徴とするものである。
【０００６】
また本発明に係るタイムスリップ動画像表示システムは、
ある特定の場所を連続して撮影するカメラと、このカメラで撮影した動画像を蓄積する動画像蓄積ユニットと、この動画像蓄積ユニットと信号ケーブル、無線又はインターネットでつながっている多数の動画像表示ユニットとを備え、
前記動画像蓄積ユニットは、前記カメラで撮影した動画像を入力する動画像入力部と、入力された動画像を所定の形式で圧縮するエンコーダ部と、圧縮された動画像を記憶する圧縮動画像記憶部と、記憶された圧縮動画像を復元するデコーダ部と、復元された動画像を出力する動画像出力部と、前記動画像入力部、エンコーダ部、圧縮動画像記憶部、デコーダ部及び動画像出力部を制御する主制御部とを備えていて、前記カメラで撮影した動画像を圧縮して圧縮動画像記憶部に記憶すると共に、圧縮動画像記憶部から過去の任意に時点からの動画像を復元できるようになっており、
前記各動画像表示ユニットは、前記動画像蓄積ユニットへの指示を入力する指示入力部と、動画像蓄積ユニットから動画像を入力する動画像入力部と、動画像を表示するディスプレイ部と、前記指示入力部、動画像入力部及びディスプレイ部を制御する主制御部とを備えていて、前記指示入力部からの指示により動画像蓄積ユニットで復元された過去の任意の時点から動画像と、現在の動画像とを同時にディスプレイ部に表示するようになっている、ものであってもよい。
【０００７】
また本発明に係るタイムスリップ動画像表示システムは、
ある特定の場所を連続して撮影するカメラと、このカメラで撮影した動画像を蓄積する動画像蓄積ユニットと、この動画像蓄積ユニットと信号ケーブル、無線又はインターネットでつながっている多数の動画像表示ユニットとを備え、
前記動画像蓄積ユニットは、前記カメラで撮影した動画像を入力する動画像入力部と、入力された動画像を所定の形式で圧縮するエンコーダ部と、圧縮された動画像を記憶する圧縮動画像記憶部と、記憶された圧縮動画像を出力する圧縮動画像出力部と、前記動画像入力部、エンコーダ部、圧縮動画像記憶部及び圧縮動画像出力部を制御する主制御部とを備えていて、前記カメラで撮影した動画像を圧縮して圧縮動画像記憶部に記憶すると共に、圧縮動画像記憶部から過去の任意に時点からの圧縮動画像を取り出せるようになっており、
前記各動画像表示ユニットは、前記動画像蓄積ユニットへの指示を入力する指示入力部と、動画像蓄積ユニットから圧縮動画像を入力する圧縮動画像入力部と、入力された圧縮動画像を復元するデコーダ部と、動画像を表示するディスプレイ部と、前記指示入力部、圧縮動画像入力部、デコーダ部及びディスプレイ部を制御する主制御部とを備えていて、前記指示入力部からの指示により動画像蓄積ユニットから入力された圧縮動画像を復元して得られる過去の任意の時点からの動画像と、現在の動画像とを同時にディスプレイ部に表示するようになっている、ものであってもよい。
【０００８】
また本発明のシステムにおける各動画像表示ユニットのディスプレイ部は、一つの画面に過去の動画像と現在の動画像を分割して表示するものであることが好ましい。
【０００９】
また本発明のシステムにおける各動画像表示ユニットは、二つ以上のディスプレイ部を備えていて、一つのディスプレイ部に現在の動画像を、他のディスプレイ部に過去の動画像を表示するものであってもよい。
【００１０】
また本発明の別な構成例としては、映像を録画する技術において、
開始、終了時間を特定せずに連続して記録媒体を常に更新していく録画方法により現在の映像を一定の時間差をおいて連続表示していく装置と、
その装置をカスケード接続し、単体では消去されるべき映像を次の装置に引き継いで時間差を拡張し、マルチポイントで表示する接続方法と、
その時間差を人間の活動単位時間である、分、時、日、週、月、年に基づき過去の映像を表示する表示システム、とすることもできる。
この構成例によれば、複数の時間差をもった画面を連続放映するように、つまりカスケード接続して１日前、１週間前、１ヶ月前などを走馬灯のように連続表示することができる。この構成例の場合はマルチスクリーンでも、単一スクリーンにマルチウィンドウでもよい。
【発明の効果】
【００１１】
本発明によれば、ある特定の場所の現在の動画像と、同じ場所の過去の任意の時点からの動画像とを同時にディスプレイ部に表示できるため、見る人は、現在の風景と、自分で見たいと思う過去の任意の時点の風景（例えば季節を遡らせた風景とか、過去に自分が来た頃の風景など）を自分で指示して観賞することができる。つまり、見る人は、ただ風景画像を見せられるのではなく、自分で見たいと思う過去の時点を指示して、現在の風景画像と過去の風景画像を対比して観賞できるため、見る人により多くの関心をもたせることができる。また動画像表示ユニットが多数設けられているため、それぞれの動画像表示ユニットで現在の風景画像と過去の風景画像を対比して観賞することができ、高い集客効果が得られる。
【００１２】
また前記した本発明の別の構成例は、空間映像の記憶にあり、公園や公共施設などで自分や社会の過去に遭遇できる機会を提供するものであり、その空間の年月の変化を幾つものタイムラグをおいて観察できる。撮影された空間は一時の隙間もなく連続されており、過去とつながった窓を提供できる（過去の空間に連続して遭遇できる）。設置され、次第に年月が過ぎることで自然に文化として認知され、新しいミーティングポイントを創造できる。自分の若い頃や他界した人間などとの遭遇など、過去の記憶に触れることで当時の夢や希望、更には流行や言語などに触れることで、人間は忘れ去られた過去を取り戻し、感性における一貫性が向上する。
【発明を実施するための最良の形態】
【００１３】
〔実施形態１〕  図１ないし図３は本発明の一実施形態を示す。このタイムスリップ動画像表示システムは、ある特定の場所（メモリアルプレイス）Ｐを連続して撮影するカメラ１０と、このカメラ１０と信号ケーブル１２（又は無線）でつながっている多数の動画像表示ユニット１４1、１４2、１４3・・・とを備えている。カメラ１０は所定の位置に設置され、メモリアルプレイスの風景を撮影し続ける。
【００１４】
各動画像表示ユニット１４は、図２に示すように、前記カメラ１０で撮影した動画像を入力する動画像入力部１６と、入力された動画像を例えばＭＰＥＧ４等の所定の形式で圧縮するエンコーダ部１８と、圧縮された動画像を記憶する圧縮動画像記憶部２０と、記憶された圧縮動画像を復元するデコーダ部２２と、動画像を表示するディスプレイ部２４と、前記動画像入力部１６、エンコーダ部１６、圧縮動画像記憶部２０、デコーダ部２２及びディスプレイ部２４を制御する主制御部２６と、この主制御部２６への指示を入力する指示入力部２８とを備えている。
【００１５】
カメラ１０で撮影された動画像は、各動画像表示ユニット１４の動画像入力部１６に取り込まれ、デジタル信号に変換されてエンコーダ部１８に入り、そこでＭＰＥＧ４等の所定の形式に圧縮されて圧縮動画像記憶部２０に記憶される。また、指示入力部２８から過去のある時点からの動画像を出力するよう指示が入力されると、指示された時点からの圧縮動画像が圧縮動画像記憶部２０から読み出され、この圧縮動画像はデコーダ部２２で元の動画像に復元されてディスプレイ部２４に表示される。一方、ディスプレイ部２４には、カメラ１０で撮影されている現在の動画像が同時に表示される。ディスプレイ部２４は、一つの画面に過去の動画像と現在の動画像を分割して表示するようになっている。
【００１６】
動画像表示ユニット１４は、市販のパソコンを基にして構成することができる。図３にその一例を示す。すなわち、圧縮動画像記憶部２０にはパソコンの記憶装置を、ディスプレイ部２４にはパソコンのディスプレイ装置を、主制御部２６にはパソコンのＣＰＵを、指示入力部２８にはパソコンのキーボードを用い、このパソコンの拡張スロット３０に、動画像入力部１６、エンコーダ部１８及びデコーダ部２２を搭載した拡張ボード３２を挿入することで構成することができる。なお、エンコーダ部１８及びデコーダ部２２はＤＳＰで構成される場合が多いが、パソコンの処理速度が速い場合にはソフトウエアで処理することも可能である。
【００１７】
多数の動画像表示ユニット１４1、１４2、１４3・・・を、例えばメモリアルプレイスの近くに適当な配置で設置しておくと、そこを訪れた観光客などが、現在の風景と過去の自分で指示した時点からの風景（異なる季節の風景など）を比較して観賞することができ、観光客などにより感激を与えることができると共に、より関心をもたせてリピーターの増大につなげることができる。また多数の動画像表示ユニット１４1、１４2、１４3・・・を、例えばメモリアルプレイスから離れた場所にある店舗などに適当台数ずつ設置しておけば、店舗を訪れた客が関心をもつので、集客効果を高めることができる。また、多数の動画像表示ユニット１４1、１４2、１４3・・・を、イベント会場など多くの人が集まる場所にまとめて設置しておけば、多くの人が関心を示し、メモリアルプレイスの宣伝効果を高めることができる。
【００１８】
なお、圧縮動画像記憶部２０又は別の記憶部に、気温、湿度、音などのセンサーによるインデックス情報を、動画像と関連付けて別途記録しておけば、そのインデックスに基づいて該当のタイムスリップ画面を呼び出すこともできる。さらに、画像パターン認識により、メモリアルプレイスの人出がある一定以上になった場合や、パトカーや救急車が複数台映っている場合のタイムスリップ画面を抽出することもできる。
【００１９】
〔実施形態２〕  図４は本発明の他の実施形態を示す。実施形態１では一つのディスプレイ部に現在の動画像と過去の動画像を分割して表示する場合を説明したが、この実施形態では、１台の動画像表示ユニット１４に二つのディスプレイ部２４Ａ、２４Ｂを設けて、一方のディスプレイ部２４Ａに現在の動画像を、他方のディスプレイ部２４Ｂに過去の動画像を表示するようにしたものである。それ以外の構成は実施形態１と同じであるので説明を省略する。
【００２０】
なお、１台の動画像表示ユニット１４に三つ以上のディスプレイ部を設け、そのうちの一つのディスプレイ部に現在の動画像を表示し、他の複数のディスプレイ部に過去の異なる時点からの動画像を表示させることも可能である。
【００２１】
〔実施形態３〕  図５ないし図７は本発明のさらに他の実施形態を示す。このタイムスリップ動画像表示システムは、ある特定の場所を連続して撮影するカメラ１０と、このカメラで撮影した動画像を蓄積する動画像蓄積ユニット３４と、この動画像蓄積ユニット３４と信号ケーブル１２（無線又はインターネットでもよい）でつながっている多数の動画像表示ユニット１４1、１４2、１４3・・・とを備えている。カメラ１０は実施形態１と同様、所定の位置に設置され、メモリアルプレイスの風景を撮影し続ける。
【００２２】
動画像蓄積ユニット３４は、図６に示すように、カメラ１０で撮影した動画像を入力する動画像入力部１６と、入力された動画像を所定の形式で圧縮するエンコーダ部１８と、圧縮された動画像を記憶する圧縮動画像記憶部２０と、記憶された圧縮動画像を復元するデコーダ部２２と、動画像出力部３６と、前記動画像入力部１６、エンコーダ部１８、圧縮動画像記憶部２０、デコーダ部２２及び動画像出力部３６を制御する主制御部３８とを備えていて、前記カメラ１０で撮影した動画像を圧縮して圧縮動画像記憶部２０に記憶すると共に、圧縮動画像記憶部２０から過去の任意に時点からの動画像を復元できるようになっている。
【００２３】
また各動画像表示ユニット１４は、図７に示すように、前記動画像蓄積ユニット３４への指示を入力する指示入力部２８と、動画像蓄積ユニット３４から動画像を入力する動画像入力部４０と、動画像を表示するディスプレイ部２４と、前記指示入力部２８、動画像入力部４０及びディスプレイ部２４を制御する主制御部２６とを備えていて、指示入力部２８からの指示により動画像蓄積ユニット３４で復元された過去の任意の時点から動画像と、現在の動画像とを同時にディスプレイ部２４に表示するようになっている。
【００２４】
ディスプレイ部２４は、一つの画面に過去の動画像と現在の動画像を分割して表示するようになっている。また実施形態２のようにディスプレイ部を二つ以上設けて、一つのディスプレイ部に現在の動画像を、他のディスプレイ部に過去の動画像を表示するようにするようにしてもよい。動画像表示ユニット１４は市販のパソコンを利用できる。
【００２５】
以上のような構成でも実施形態１と同様な効果が得られる。この実施形態では、動画像蓄積ユニット３４を設けて、そこに動画像を蓄積するため、動画像蓄積ユニット３４と多数の動画像表示ユニット１４1、１４2、１４3・・・とをインターネットを介してつなぐことにより、より多くの人がメモリアルプレイスの現在の動画像と過去の任意の時点からの動画像とを見ることができる。
【００２６】
〔実施形態４〕  図８及び図９は本発明のさらに他の実施形態を示す。このタイムスリップ動画像表示システムの全体構成は、図５のように、カメラ１０、動画像蓄積ユニット３４及び動画像表示ユニット１４1、１４2、１４3・・・を信号ケーブル１２（無線又はインターネットでもよい）でつないだものであるが、動画像蓄積ユニット３４及び各動画像表示ユニット１４の内部構成が実施形態３と異なっている。
【００２７】
すなわち、動画像蓄積ユニット３４は、図８に示すように、カメラ１０で撮影した動画像を入力する動画像入力部１６と、入力された動画像を所定の形式で圧縮するエンコーダ部１８と、圧縮された動画像を記憶する圧縮動画像記憶部２０と、記憶された圧縮動画像を出力する圧縮動画像出力部４２と、前記動画像入力部１６、エンコーダ部１８、圧縮動画像記憶部２０及び圧縮動画像出力部４２を制御する主制御部３８とを備えていて、カメラ１０で撮影した動画像を圧縮して圧縮動画像記憶部２０に記憶すると共に、圧縮動画像記憶部２０から過去の任意に時点からの圧縮動画像を取り出せるようになっている。
【００２８】
また、各動画像表示ユニット１４は、図９に示すように、前記動画像蓄積ユニット３４への指示を入力する指示入力部２８と、動画像蓄積ユニット３４から圧縮動画像を入力する圧縮動画像入力部４４と、入力された圧縮動画像を復元するデコーダ部２２と、動画像を表示するディスプレイ部２４と、前記指示入力部２８、圧縮動画像入力部４４、デコーダ部２２及びディスプレイ部２４を制御する主制御部２６とを備えていて、指示入力部２８からの指示により動画像蓄積ユニット３４から入力された圧縮動画像を復元して得られる過去の任意の時点からの動画像と、現在の動画像とを同時にディスプレイ部に表示するようになっている。
【００２９】
上記以外の構成は実施形態３と同様であり、このような構成でも実施形態３と同様の効果を得ることができる。
【図面の簡単な説明】
【００３０】
【図１】本発明に係るタイムスリップ動画像表示システムの一実施形態を示す全体構成図。
【図２】図１のシステムにおける動画像表示ユニットの内部構成を示すブロック図。
【図３】図２の動画像表示ユニットをパソコンで構成する場合の説明図。
【図４】図１システムにおける動画像表示ユニットの他の実施形態を示すブロック図。
【図５】本発明に係るタイムスリップ動画像表示システムの他の実施形態を示す全体構成図。
【図６】図５のシステムにおける動画像蓄積ユニットの内部構成を示すブロック図。
【図７】図６の動画像蓄積ユニットにつながる動画像表示ユニットの内部構成を示すブロック図。
【図８】図５のシステムにおける動画像蓄積ユニットの他の実施形態を示すブロック図。
【図９】図８の動画像蓄積ユニットにつながる動画像表示ユニットの内部構成を示すブロック図。
【符号の説明】
【００３１】
Ｐ：メモリアルプレイスの風景
１０：カメラ
１２：信号ケーブル
１４：動画像表示ユニット
１６：動画像入力部
１８：エンコーダ部
２０：圧縮動画像記憶部
２２：デコーダ部
２４：ディスプレイ部
２６：動画像表示ユニットの主制御部
２８：指示入力部
３０：パソコンの拡張スロット
３２：パソコンの拡張ボード
３４：動画像蓄積ユニット
３６：動画像出力部
３８：動画像蓄積ユニットの主制御部
４０：動画像入力部
４２：圧縮動画像出力部
４４：圧縮動画像入力部
【図１】
2006093769.tif 000003
【図２】
2006093769.tif 000004
【図３】
2006093769.tif 000005
【図４】
2006093769.tif 000006
【図５】
2006093769.tif 000007
【図６】
2006093769.tif 000008
【図７】
2006093769.tif 000009
【図８】
2006093769.tif 000010
【図９】
2006093769.tif 000011